(57)【要約】【課題】従来の管路の接続構造では、接続する双方の管の管端にフランジを溶接加工するために相当の時間及び製作コストや労力を必要としていた。【解決手段】本発明の管路の接続構造（１）は、前記第一の管（２−１）の一端には内径が拡大して形成されている拡大径部（３）が形成されているとともに、前記拡大径部（３）に連続してフランジ（４）が形成されており、前記第二の管（２−２）の一端には、当該管の一端から離れた位置の外周に環状の凹み部（８）が形成されており、前記環状の凹み部（８）にはパッキン（６）を装着して、前記第一の管（２−１）の拡大径部（３）に差し込み、前記第一の管（２−１）と前記第二の管（２−２）とは可動フランジ（７）を介して相互に接続され、前記環状の凹み部に装着されたパッキン（６）は前記可動フランジ（７）のストッパーとしても機能している。【選択図】図１
2018017328.tif 000002
【特許請求の範囲】
【請求項１】
一方の管（便宜的に以下第一の管と記載）の一端には内径が拡大して形成されている拡大径部が形成されているとともに、前記拡大径部に連続してフランジが形成されており、他方の管（便宜的に以下第二の管と記載）の一端には、当該管の一端から離れた位置の外周に環状の凹み部が形成されており、前記環状の凹み部にはパッキンを装着して、第一の管の拡大径部に差し込み、前記第一の管と前記第二の管とは可動フランジを介して相互に接続され、前記可動フランジは前記第二の管の外周に篏合し得る内径を有しており、前記可動フランジを介して前記第一の管と前記第二の管とを相互に接続する場合には、前記第二の管に装着したパッキンを押圧するように前記第一の管のフランジと前記第二の管の可動フランジとボルトナットで相互に接続されたことを特徴とする管路の接続構造。
【請求項２】
前記第二の管の一端から離れた位置の外周に環状の凹み部が複数形成されており、前記第一の管の拡大径部は、前記第二の管を差し込む長さが確保されていることを特徴とする請求項１記載の管路の接続構造。
【発明の詳細な説明】
【技術分野】
【０００１】
本発明は、複数の管を接続させる管路の接続構造に関する。
【背景技術】
【０００２】
従来の管路の接続構造は、両端にフランジが形成された管を用いて、隣接する管の双方のフランジをボルト及びナットで結合することにより、複数の管を接続するものであって、接続する管の双方のフランジの間にはゴムパッキンその他のシール部材が挟持されている。
【０００３】
以上のように、従来の管路の接続構造では、接続する双方の管の管端にフランジを溶接加工するために相当の時間及び製作コストや労力を必要としていた。
【０００４】
特許文献1の、パイプの接続構造は、一方の管端部にフランジ部を備えた受け口部を形成し、接続菅にゴム輪を装着して受け口部に差し込み、押し輪でゴム輪を押圧するようにフランジ部と押し輪とボルトナットで連結して水封性を確保する管路の接続構造において、接続菅の差し込み側の外周に係止突起を突設すると共に、押し輪に前記突起が通過する切欠部を、フランジ部及び押し輪のボルト孔を一致させた場合に、切欠部と係止突部とがずれる位置に設けてなることを特徴としている。  
【先行技術文献】
【特許文献】
【０００５】
【特許文献１】特開２００４−３３２８５７号  公報
【発明の概要】
【発明が解決しようとする課題】
【０００６】
特許文献1に開示されているパイプの接続構造は、一方のパイプ端部に備えてある受け口側のフランジ部及び差し込みパイプ側の押し輪双方の内径には、それぞれに切欠部が設けてあり、差し込み側パイプの端部の外周には前記切欠部を通過する係止突起が突設されていた。以上のように、フランジや押し輪の双方に切欠部を切削加工してあり、また接続パイプの差し込み側パイプ端部に係止突起を突設されておりパイプの製作工程数が多い、そこで本発明の、管路の接続構造は、簡単な加工と簡単な作業で抜け止めが実現できるうえに水封性を確保できる機構を備えた管路の接続構造を提案するものである。
【課題を解決するための手段】
【０００７】
以上の課題を解決するため、本発明の管路の接続構造（１）は、一方の管（２−１）（便宜的に以下第一の管（２−１）と記載）の一端には内径が拡大して形成されている拡大径部（３）が形成されているとともに、前記拡大径部（３）に連続してフランジ（４）  が形成されており、他方の管（２−２）（便宜的に以下第二の管（２−２）と記載）の一端には、当該管（２−２）の一端から離れた位置の外周に環状の凹み部（８）が形成されており、前記環状の凹み部（８）にはパッキン（６）を装着して、第一の管（２−１）の拡大径部（３）に差し込み、前記第一の管（２−１）と前記第二の管（２−２）とは可動フランジ（７）を介して相互に接続され、  
【０００８】
前記可動フランジ（７）は前記第二の管（２−２）の外周に篏合し得る内径を有しており、前記可動フランジ（７）を介して前記第一の管（２−１）と前記第二の管（２−２）とを相互に接続する場合には、前記第二の管（２−２）に装着したパッキン（６）を押圧するように前記第一の管（２−１）のフランジ（４）  と前記第二の管（２−２）の可動フランジ（７）とボルトナット（９）で相互に接続され管路の抜け止めと水封性が確保される管路の接続構造（１）を提供する。
【発明の効果】
【０００９】
本発明の管路の接続構造（１）は、前記第一の管（２−１）の一端には内径が拡大して形成されている拡大径部（３）が形成されているとともに、前記拡大径部（３）に連続してフランジ（４）が形成されており、前記第二の管（２−２）の一端には、当該管（２−２）の一端から離れた位置の外周に環状の凹み部（８）が形成されており、前記環状の凹み部（８）にはパッキン（６）を装着して、前記第一の管（２−１）の拡大径部（３）に差し込み、前記第一の管（２−１）と前記第二の管（２−２）とは可動フランジ（７）を介して相互に接続され、前記環状の凹み部（８）に装着されたパッキン（６）は前記可動フランジ（７）のストッパーとして機能している。  
【００１０】
当該可動フランジ（７）は前記第二の管（２−２）の外周に篏合し得る内径を有しており、前記可動フランジ（７）を介して前記第一の管（２−１）と前記第二の管（２−２）とを相互に接続する場合には、前記第二の管（２−２）に装着したパッキン（６）を押圧するように前記第一の管（２−１）のフランジ（４）と前記第二の管（２−２）の可動フランジ（７）とボルトナット（９）で相互に接続され管路の抜け止めと水封性が確保される管路の接続構造（１）を提供する。
【００１１】
本発明は、第一の管（２−１）以外の管にはフランジの溶接加工を必要とせず、第二の管（２−２）は可動フランジ（７）であり溶接加工、切削加工等の必要がなく、第一の管（２−１）の管端部の内径拡大（３）及び第二の管（２−２）の一端から離れた位置の外周に環状の凹み部（８）の加工だけで管の製作工程数が少なく製作原価の低減に寄与する。
【００１２】
又、前記管路の接続構造（１）を実行するには前記第一の管（２−１）の一端に内径が拡大して形成されている拡大径部（３）に連続してフランジ（４）が形成された開口部に、前記第二の管（２−２）の一端から離れた位置の外周に環状の凹み部（８）が形成されており、前記環状の凹み部に（８）はパッキン（６）を装着して、前記第一の管（２−１）の拡大径部（３）に差し込み、前記第一の管（２−１）と前記第二の管（２−２）とは可動フランジ（７）を介して相互に接続され、前記可動フランジ（７）は前記第二の管（２−２）の外周に篏合し得る内径を有しており、前記可動フランジ（７）を介して前記第一の管（２−１）と前記第二の管（２−２）とを相互に接続する場合には、前記第二の管（２−２）に装着したパッキン（６）を押圧するように前記第一の管（２−１）のフランジ（４）と前記第二の管（２−２）の可動フランジ（７）とボルトナット（９）で相互に接続され管路の抜け止めと水封性が確保される効果がある。
【００１３】
本発明の管路の接続構造によれば、従来の特許文献１に示したように突起物の溶接や、切欠部の切削加工などの工程を必要としないので管の製作効率が良く成る。
【発明を実施するための最良の形態】
【００１４】
第１図は、第一の実施形態に係る管路の接続構造（１）を示す分解斜視図であり、第２図は、第一の実施形態に係る管路の接続前の状態を示す斜視図である、第３図は、第一の実施形態に係る第二の管（２−２）を示す側面図である。第4図は、管路の接続した状態を示す側面図である。
【００１５】
本実施形態に係る管路の接続構造（１）は、第一の管（2−1）の拡大径部（3）に連続してフランジ（4）が形成されており、第二の管（2−２）の一端には、当該管（2−２）の一端から離れた位置の外周に環状の凹み部（８）が形成されており、前記環状の凹み部（８）にはパッキン（6）を装着して、第一の管（2−1）の拡大径部（3）に差し込み、前記第一の管（2−1）と前記第二の管（2−２）とは可動フランジ（7）を介して相互に接続され、前記可動フランジ（7）は前記第二の管（2−２）の外周に篏合し得る内径を有しており、前記可動フランジ（7）を介して前記第一の管（2−1）と前記第二の管（2−２）とを相互に接続する場合には、前記第二の管（2−２）に装着したパッキン（6）を押圧するように前記第一の管（2−1）のフランジ（4）と前記第二の管（2−２）の可動フランジ（7）とボルトナット（9）で相互に接続される構造である。
【００１６】
本実施形態に係る管路の接続構造によれば、以下の効果を奏する。
【００１７】
本実施形態に係る管路の接続構造（１）によれば、第一の管（2−1）のフランジ（4）の溶接加工のほかには溶接加工を必要としないので、従来の管路の接続構造と比較して、製作原価の低減に寄与する。
また、従来の管路の接続構造と比較して、接続構造が単純であり管（2−1）・（2−２）の接続や取り外す作業が容易に出来るという効果もある。
【００１８】
第５図は、第二の実施形態に係る第二の管（2−２）を示す側面図であり、第６図は、
第二の実施形態に係る管路の接続前の状態を示す斜視図である。
【００１９】
前記第二の管（2−２）の一端から離れた位置の外周に環状の凹み部（８）が形成されてなり、その近傍の凹み部（８）には、パッキン（６）が装着されてなる、前記第一の管（2−１）と前記第二の管（2−２）とを相互に接続するには、当該第二の管（2−２）の凹み部（８）に装着したパッキン（６）と可動フランジ（７）とを、介してボルトナット（９）で連結することで水封性を確保すると共に、ストッパーとしても機能することが出来る。
【００２０】
前記第一の管（2−１）の拡大径部（3）は、前記第二の管（2−２）を差し込む長さが確保されている構造であり、また、複数の管路を連続して接続する場合には、各管路の接続部の近傍に形成されている複数の凹み部（８）を選択してパッキン（6）を装着することにより前記第一の管（2−1）と前記第二の管（2−２）とを相互に接続することにより、管路の接続長さの微調整が可能になる効果がある。
【図面の簡単な説明】
【００２１】
【図１】第一の実施形態に係る管路の接続構造を示す分解斜視図である。
【図２】第一の実施形態に係る管路の接続前の状態を示す斜視図である。
【図３】第一の実施形態に係る第二の管（2−２）を示す側面図である。
【図４】管路の接続した状態を示す側面図である。
【図５】第二の実施形態に係る第二の管（2−２）を示す側面図である。
【図６】第二の実施形態に係る管路の接続前の状態を示す斜視図である。
【符号の説明】
【００２２】
1  管路の接続構造
2−1  第一の管（受け口側の管）
2−2  第二の管（差し込み側の管）  
3  拡大径部
4  フランジ
5  ボルト孔
6  パッキン（Oリング）
7  可動フランジ
8  凹み部
9  ボルトナット    
【図１】
2018017328.tif 000003
【図２】
2018017328.tif 000004
【図３】
2018017328.tif 000005
【図４】
2018017328.tif 000006
【図５】
2018017328.tif 000007
【図６】
2018017328.tif 000008
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
第一の管の管端部は内径を拡大した拡大径部を形成し、当該拡大径部に連続してフランジ部が形成されており、該フランジ部は第二の接続管の受け口であって、差し込む第二の管はパッキンと押輪とを装着して第一の管のフランジ部及び拡大径部に差し込み前記フランジ部とパッキンを押圧するように押輪とボルトナットで相互に接続され水封性を確保する管路の接続構造において、接続管の差し込み側の管の先端から離れた位置の外周に環状の凹み部が形成されており、前記環状の凹み部にはパッキンを嵌め込んでなる、前記第一の管のフランジ部と押輪は差し込み側の管の外周に篏合し得る内径を有しており、フランジ部の平面とパッキンを押圧する押輪の平面が内径に接する角は直角に形成されてなることを特徴とする管路の接続構造。
【手続補正２】
【補正対象書類名】明細書
【補正対象項目名】０００７
【補正方法】変更
【補正の内容】
【０００７】
以上の課題を解決するため、本発明の管路の接続構造（１）は、第一の管（２−１）の管端部は内径が拡大した拡大径部（３）を形成し、当該拡大径部（３）に連続してフランジ部（４）が形成されており、該フランジ部（４）は第二の接続管の受け口であって、差し込む第二の管（２−２）はパッキン（６）と押輪（７）とを装着して第一の管（２−１）のフランジ部（４）及び拡大径部（３）に差し込み前記フランジ部（４）にパッキン（６）を押圧するように押輪（７）をボルトナット（９）で相互に接続して水封性を確保する管路の接続構造（１）において、
【手続補正３】
【補正対象書類名】明細書
【補正対象項目名】０００８
【補正方法】変更
【補正の内容】
【０００８】
差し込み側の管（２−２）の先端から離れた位置の外周に環状の凹み部（８）が形成されてなり、前記環状の凹み部（８）にはパッキン（６）を嵌め込んでなる、また、前記第一の管（２−１）のフランジ部（４）と押輪（７）は差し込み側の管（２−２）の外周に篏合し得る内径を有しており、フランジ部（４）の平面とパッキン（６）を押圧する押輪（６）の平面が内径に接する角は直角に形成されてなることを特徴とする管路の接続構造（１）を提供する。
【手続補正４】
【補正対象書類名】明細書
【補正対象項目名】０００９
【補正方法】変更
【補正の内容】
【０００９】
実施の形態、図１及び図２は本発明の構造を示したものである。
本発明の管路の接続構造（１）は、第一の管（２−１）の管端部は内径を拡大した拡大径部（３）を形成し、当該拡大径部（３）に連続してフランジ部（４）が形成されてなるものである。
【手続補正５】
【補正対象書類名】明細書
【補正対象項目名】００１０
【補正方法】変更
【補正の内容】
【００１０】
フランジ部（４）は第二の接続管（２−２）の受け口であって、差し込む第二の管（２−２）の先端から離れた位置の外周に環状の凹み部（８）が形成されてなり、パッキン（６）と押輪（７）とを装着して第一の管（２−１）のフランジ部（４）及び拡大径部（３）に差し込み前記フランジ部（４）とパッキン（６）を押圧するように押輪（７）で挟みボルトナット（９）で相互に接続され水封性を確保する管路の接続構造（１）である。
【手続補正６】
【補正対象書類名】明細書
【補正対象項目名】００１１
【補正方法】変更
【補正の内容】
【００１１】
即ち、第一の管（２−１）に形成された凹み部（８）にはパッキン（６）が嵌め込まれておりフランジ部（４）と押輪（７）に挟まれたパッキン（６）は押しつぶされて環状の凹み部（８）にはまり込んでいるので移動することがなく定位置に固定して管路の水封性を確保するものである。  
【手続補正７】
【補正対象書類名】明細書
【補正対象項目名】００１２
【補正方法】変更
【補正の内容】
【００１２】
第一の管（２−１）のフランジ部（４）と押輪（７）は差し込み側の管（２−２）の外周に篏合し得る内径を有しており、且つ、フランジ部（４）の平面とパッキン（６）を押圧する押輪（６）の平面が内径に接する角は直角に形成されてなることを特徴としており、第二の管（２−２）に装着してあるパッキン（６）を押輪（６）とフランジ部（４）で挟み込むことで管路の抜け止めと水封性が確保される効果がある。
【手続補正８】
【補正対象書類名】明細書
【補正対象項目名】００１４
【補正方法】変更
【補正の内容】
【００１４】
第１図は、第一の実施形態に係る管路の接続構造（１）を示す分解斜視図であり、第2図は、第一の実施形態に係る管路の接続前の状態を示す斜視図である、第3図は、第一の実施形態に係る第二の管（２−２）を示す側面図である。第4図は、管路の接続した状態を示す側面図である。
【手続補正９】
【補正対象書類名】明細書
【補正対象項目名】００１５
【補正方法】変更
【補正の内容】
【００１５】
第一の実施形態に係る管路の接続構造（１）は、第一の管（２−１）の拡大径部（３）に連続してフランジ部（４）が形成されており、第二の管（２−２）の先端には、当該管の先端から離れた位置の外周に環状の凹み部（８）が形成されており、前記環状の凹み部（８）にはパッキン（６）を装着して、第一の管（２−１）の拡大径部（３）に差し込み、前記第一の管（２−１）と第二の管（２−２）とは押輪（７）を介して相互に接続され、前記押輪（７）は前記第二の管（２−２）の外周に篏合し得る内径を有しており押輪（７）を介して第一の管（２−１）と第二の管（２−２）とを相互に接続する場合には、前記第二の管（２−２）に装着したパッキン（６）を押圧するように前記第一の管（２−１）のフランジ部（４）と第二の管（２−２）の押輪（７）とボルトナット（９）で相互に接続される構造である。         
【手続補正１０】
【補正対象書類名】明細書
【補正対象項目名】００１７
【補正方法】変更
【補正の内容】
【００１７】
本実施形態に係る管路の接続構造（１）によれば、第一の管（２−１）のフランジ部（４）の溶接加工のほかには溶接加工を必要としないので、従来の管路の接続構造（１）と比較して、制作原価の低減に寄与する。
また、従来の管路の接続構造（１）と比較して、接続構造が単純であり第一の管（２−１）及び第二の管（２−２）の接続や取り外す作業が容易に出来るという効果がある。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
【図１】第一の実施形態に係る管路の接続構造を示す分解斜視図である。
【図２】第一の実施形態に係る管路の接続前の状態を示す斜視図である。
【図３】第一の実施形態に係る第一の管（２−１）を示す側面図である。
【図４】管路の接続した状態を示す側面図である。
【手続補正１５】
【補正対象書類名】明細書
【補正対象項目名】００２２
【補正方法】変更
【補正の内容】
【００２２】
1  管路の接続構造
2−1  第一の管（受け口側）
2−2  第二の管（差し込み側）  
3  拡大径部
4  フランジ部
5  ボルト孔
6  パッキン（Oリング）
7  押輪（可動フランジ）
8  凹み部
9  ボルトナット    
【手続補正１６】
【補正対象書類名】図面
【補正対象項目名】図５
【補正方法】削除
【補正の内容】
【手続補正１７】
【補正対象書類名】図面
【補正対象項目名】図６
【補正方法】削除
【補正の内容】
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
第一の管の管端部には内径を拡大した拡大径部が形成され、前記拡大径部に連続してフランジが形成されており、
前記フランジ部は第二の管の受け口であって第二の管が差し込まれ、
前記第二の管にはパッキンと前記第二の管に沿って移動する押輪とが装着され、
前記フランジ部と前記押輪とは、前記第二の管が前記第一の管の前記フランジ部及び前記拡大径部に差し込まれたときボルトナットを用いて相互に接続され、接続された前記フランジ部と前記押輪とが前記パッキンを押圧して水密性を確保する管路の接続構造であって、
前記第二の管は、差し込み側の先端から離れた位置の外周に環状の凹み部が形成されており、
前記環状の凹み部には前記パッキンが抜け止め状態で嵌め込まれ前記第一の管の前記フランジ部と前記第二の管に装着された前記押輪のそれぞれの平面に挟まれて前記フランジ部と前記押輪のストッパーになり、
前記第一の管の前記フランジ部と前記押輪は、差し込み側の管の外周に嵌合し得る内周部をそれぞれ有しており、
前記フランジ部の前記パッキンを押圧する平面と前記フランジ部の内周部とがなす角は直角であり、前記押輪の前記パッキンを押圧する平面と前記押輪の内周部とがなす角は直角であることを特徴とする管路の接続構造。
【請求項２】
前記凹み部は、前記第二の管の外周に複数形成されており、前記第一の管の前記拡大径部は、前記第二の管を差し込む長さが確保されていることを特徴とする請求項１に記載した管路の接続構造。
【手続補正２】
【補正対象書類名】明細書
【補正対象項目名】全文
【補正方法】変更
【補正の内容】
【発明の詳細な説明】
【技術分野】
【０００１】
本発明は、複数の管を接続させる管路の接続構造に関する。
【背景技術】
【０００２】
従来の管路の接続構造は、両端にフランジが形成された管を用いて、双方のフランジをボルトナットで結合することにより、複数の管を接続するものであって、双方のフランジ間にはゴムパッキンその他のシール部材が挟持されており、斯かる管路の接続構造では、接続する双方の管の管端にフランジを溶接加工するために相当の時間及び製作コストや労力を必要としていた。
【０００３】
このような問題を解決するものとして、一方の管端部にフランジ部を備えた受け口部を形成し、接続菅にゴム輪を装着して受け口部に差し込み、押し輪でゴム輪を押圧するようにフランジ部と押し輪とボルトナットで連結して水封性を確保する管路の接続構造において、接続菅の差し込み側の外周に係止突起を突設すると共に、押し輪に前記突起が通過する切欠部を、フランジ部及び押し輪のボルト孔を一致させた場合に、切欠部と係止突部とがずれる位置に設けてなるパイプの接続構造がある（例えば、特許文献１参照）。  
【先行技術文献】
【特許文献】
【０００４】
【特許文献１】特開２００４−３３２８５７号公報
【発明の概要】
【発明が解決しようとする課題】
【０００５】
前記特許文献1には、一方のパイプ端部に備えてある受け口側のフランジ部及び差し込みパイプ側の押し輪双方の内径には、それぞれに切欠部が設けてあり、差し込み側パイプの端部の外周には前記切欠部を通過する係止突起が突設され、フランジや押し輪の双方に切欠部を切削加工してあり、また接続パイプの差し込み側パイプ端部に係止突起を突設されておりパイプの製作工程数が多いという問題があった。
【課題を解決するための手段】
【０００６】
以上の課題を解決するため、本発明の管路の接続構造は、第一の管の管端部には内径を拡大した拡大径部が形成され、前記拡大径部に連続してフランジが形成されており、前記フランジ部は第二の管の受け口であって第二の管が差し込まれ、前記第二の管にはパッキンと前記第二の管に沿って移動する押輪とが装着され、前記フランジ部と前記押輪とは、前記第二の管が前記第一の管の前記フランジ部及び前記拡大径部に差し込まれたときボルトナットを用いて相互に接続され、接続された前記フランジ部と前記押輪とが前記パッキンを押圧して水密性を確保する管路の接続構造であって、前記第二の管は、差し込み側の先端から離れた位置の外周に環状の凹み部が形成されており、前記環状の凹み部には前記パッキンが抜け止め状態で嵌め込まれ前記第一の管の前記フランジ部と前記第二の管に装着された前記押輪のそれぞれの平面に挟まれて前記フランジ部と前記押輪のストッパーになり、前記第一の管の前記フランジ部と前記押輪は、差し込み側の管の外周に嵌合し得る内周部をそれぞれ有しており、前記フランジ部の前記パッキンを押圧する平面と前記フランジ部の内周部とがなす角は直角であり、前記押輪の前記パッキンを押圧する平面と前記押輪の内周部とがなす角は直角であることを特徴とする。
【０００７】
また、前記凹み部は、前記第二の管の外周に複数形成されており、前記第一の管の前記拡大径部は、前記第二の管を差し込む長さが確保されていることを特徴とする。
【発明の効果】
【０００８】
本発明の管路の接続構造によれば、従来の特許文献１に示したように突起物の溶接や、切欠部の切削加工などの工程を必要としないので、すなわち、第一の管以外の管にはフランジ等の溶接加工を必要とせず、第一の管の拡大径部及び第二の管の一端から離れた位置の外周に環状の凹み部の加工だけで管の製作工程数が少なく製作原価の低減に寄与する。
【０００９】
また、押輪を介して第一の管と第二の管とを相互に接続する場合には、第二の管に装着したパッキンを押圧するように第一の管のフランジ部と第二の管の押輪とボルトナットで相互に接続され管路の抜け止めと水封性が確保される効果がある。
【図面の簡単な説明】
【００１０】
【図１】第一の実施形態に係る管路の接続構造を示す分解斜視図である。
【図２】同上における管路の接続前の状態を示す斜視図である。
【図３】同上における第二の管を示す側面図である。
【図４】同上における管路の接続した状態を示す側面図である。
【図５】第二の実施形態に係る第二の管を示す側面図である。
【図６】同上における管路の接続前の状態を示す斜視図である。
【発明を実施するための形態】
【００１１】
図１〜図４において、第一の実施形態に係る管路の接続構造１は、第一の管２−１の拡大径部３に連続してフランジ部４が形成されており、第二の管２−２の一端には、当該管２−２の一端から離れた位置の外周に環状の凹み部８が形成されており、凹み部８にはＯリング等のパッキン６を装着して、第一の管２−１の拡大径部３に差し込み、第一の管２−１と第二の管２−２とは可動フランジである押輪７を介して相互に接続され、押輪７は第二の管２−２に沿って移動するように第二の管２−２の外周に篏合し得る内径を有しており、押輪７を介して第一の管２−１と第二の管２−２とを相互に接続する場合には、第二の管２−２に装着したパッキン６を押圧するように押輪７が移動して、第一の管２−１のフランジ部４と第二の管２−２に装着した押輪７とボルトナット９で相互に接続される構造である。
【００１２】
なお、フランジ部４のパッキン６を押圧する平面とフランジ部４の内周部とがなす角は直角であり、押輪７のパッキン６を押圧する平面と押輪７の内周部とがなす角は直角であり、パッキン６がフランジ部４と押輪７のそれぞれの平面に挟まれてフランジ部４と押輪７のストッパーの機能を発揮している。
【００１３】
本実施形態に係る管路の接続構造１によれば、第一の管２−１のフランジ部４の溶接加工の他には溶接加工を必要としないので、従来の管路の接続構造と比較して、製作原価の低減に寄与する。
【００１４】
また、従来の管路の接続構造と比較して、接続構造が単純であり管２−１、２−２の接続や取り外す作業が容易に出来るという効果もある。
【００１５】
図５，図６の第二の実施形態において、第二の管２−２の一端から離れた位置の外周に環状の凹み部８が形成されてなり、その凹み部８には、パッキン６が抜け止め状態で装着されてなる。
【００１６】
第一の管２−１と第二の管２−２とを相互に接続するには、第二の管２−２の凹み部８に装着したパッキン６と押輪７とを介して第一の管２−１のフランジ部４とボルトナット９で連結することで、パッキン６が水封性を確保すると共に、ストッパーとしても機能することが出来る。
【００１７】
第一の管２−１の拡大径部３は、第二の管２−２を差し込む長さが確保されている構造であり、また、複数の管路を連続して接続する場合には、各管路の接続部の近傍に形成されている複数の凹み部８を選択してパッキン６を装着することにより第一の管２−１と第二の管２−２とを相互に接続することにより、管路の接続長さの微調整が可能になる効果がある。
【符号の説明】
【００１８】
１  管路の接続構造
２−１  第一の管（受け口側の管）
２−２  第二の管（差し込み側の管）  
３  拡大径部
４  フランジ部
５  ボルト孔
６  パッキン（Ｏリング）
７  押輪（可動フランジ）
８  凹み部
９  ボルトナット